(57)【要約】      （修正有）【課題】セルラ通信システムにおいて装置間（Ｄ２Ｄ）通信リソースの管理方法を提供する。【解決手段】基地局との通信が可能な第１の装置間（Ｄ２Ｄ）無線通信装置において行われる方法は、基地局から送信されるセル同期信号から、セルラ通信システムのシステムタイミングを導出し、Ｄ２Ｄリンクに用いる無線リソースに関するパラメータを受信し、基地局との通信が不能な第２のＤ２Ｄ無線通信装置に対して前記パラメータを転送し、セルラ通信システムの上りリンクリソースを使用して、第２のＤ２Ｄ無線通信装置に対して同期信号を送信することを含む。前記同期信号は、第２のＤ２Ｄ無線通信装置が第１のＤ２Ｄ無線通信装置に同期するために用いる信号である。【選択図】図１Ａ
2016226030.tif 000002
【特許請求の範囲】
【請求項１】
基地局との通信が可能な第１の装置間（Ｄ２Ｄ）無線通信装置において行われる方法であって、
前記基地局から受信するセル同期信号から、セルラ通信システムのシステムタイミングを導出し、
Ｄ２Ｄリンクに用いる無線リソースに関するパラメータを前記基地局から受信し、
前記基地局との通信が不能な第２のＤ２Ｄ無線通信装置に対して前記パラメータを転送し、
前記セルラ通信システムの上りリンクリソースを使用して、前記第２のＤ２Ｄ無線通信装置に対して同期信号を送信し、
前記同期信号は、前記第２のＤ２Ｄ無線通信装置が前記第１のＤ２Ｄ無線通信装置に同期するために用いる信号である、
方法。
【請求項２】
前記同期信号を前記第２のＤ２Ｄ無線通信装置に送信するとともに、前記パラメータを前記第２のＤ２Ｄ無線通信装置に転送する、
請求項１に記載の方法。
【請求項３】
第１の装置間（Ｄ２Ｄ）無線通信装置であって、
基地局との通信が可能である場合において、
前記基地局から受信するセル同期信号から、セルラ通信システムのシステムタイミングを導出する手段と、
Ｄ２Ｄリンクに用いる無線リソースに関するパラメータを前記基地局から受信する手段と、
前記基地局との通信が不能な第２のＤ２Ｄ無線通信装置に対して前記パラメータを転送する手段と、
前記セルラ通信システムの上りリンクリソースを使用して、前記第２のＤ２Ｄ無線通信装置に対して同期信号を送信する手段と、を備え、
前記同期信号は、前記第２のＤ２Ｄ無線通信装置が前記第１のＤ２Ｄ無線通信装置に同期するために用いる信号である、
第１のＤ２Ｄ無線通信装置。
【発明の詳細な説明】
【関連出願】
【０００１】
本出願は、２０１３年５月２３日に同時に出願され、本出願により、本願の譲渡人へ譲渡され、その全体が参照により明示的に組み込まれる、「チャネル対称性を使用した装置間通信リソースの管理（ＭＡＮＡＧＥＭＥＮＴ  ＯＦ  ＤＥＶＩＣＥ−ＴＯ−ＤＥＶＩＣＥ  ＣＯＭＭＵＮＩＣＡＴＩＯＮ  ＲＥＳＯＵＲＣＥＳ  ＵＳＩＮＧ  ＣＨＡＮＮＥＬ  ＳＹＭＭＥＴＲＹ）」、及び「参照信号による確認応答伝達（ＡＣＫＮＯＷＬＥＤＧＥＭＥＮＴ  ＭＥＳＳＡＧＩＮＧ  ＯＶＥＲ  ＲＥＦＥＲＥＮＣＥ  ＳＩＧＮＡＬＳ）」という名称で出願されたＰＣＴ出願に関連する。
【技術分野】
【０００２】
本発明は、概して無線通信に関し、さらに具体的には、セルラ通信システムにおいて第１の無線通信装置から第２の無線通信装置へＤ２Ｄ制御データを送信することによる装置間（Ｄ２Ｄ）通信リソースの管理に関する。
【背景技術】
【０００３】
多くの無線通信システムは基地局を使用して地理的サービスエリアを提供し、そこでは、無線通信ユーザ機器（ＵＥ）装置が、無線通信ＵＥ装置が位置する特定の地理的サービスエリアを提供する基地局と通信する。基地局は、無線通信装置と他の装置との間で通信リンクを形成するネットワーク内に接続される。場合によっては、通信リンクは、互いに近接する無線通信ＵＥ装置間に形成される。これらの状況では、基地局を介して通信するよりも、２つの無線ＵＥ装置間で直接通信リンクを有することが好ましい。このような装置間の直接通信は、しばしば、装置間（Ｄ２Ｄ）通信又はピアツーピア（Ｐ２Ｐ）通信と称される。
【発明の概要】
【０００４】
第１の無線通信装置は、セルラ通信システムの基地局から装置間（Ｄ２Ｄ）制御情報を受信し、第２の無線通信装置へ第２の装置Ｄ２Ｄ制御データを送信する。第２の装置制御データは、第１の無線通信装置と第２の無線通信装置との間のＤ２Ｄ通信リンクによるＤ２Ｄ通信に使用される。第２の装置Ｄ２Ｄ制御データは、Ｄ２Ｄ制御情報に少なくとも部分的に基づいている。
【図面の簡単な説明】
【０００５】
【図１Ａ】Ｄ２Ｄリンク管理のために第１の無線通信装置がＤ２Ｄ制御信号を第２の無線通信装置へ送信する、装置間（Ｄ２Ｄ）通信をサポートするマクロセル通信システムの例のブロック図である。
【０００６】
【図１Ｂ】マクロセル通信リソースを使用して無線通信装置間に装置間（Ｄ２Ｄ）通信リンクを確立する通信システムの一例のブロック図である。
【０００７】
【図１Ｃ】Ｄ２Ｄ通信リンクを確立するために図１Ａの通信システム内で使用されるリソースの一例のブロック図である。
【０００８】
【図２】無線通信装置においてＤ２Ｄ通信を管理する方法の一例のフローチャートである。
【発明を実施するための形態】
【０００９】
Ｄ２Ｄ通信をサポートするセルラシステムでは、通信リソースはＤ２Ｄ装置間でのＤ２Ｄ通信のために割り当てられる。Ｄ２Ｄ管理のための通信リソースの使用は、Ｄ２Ｄ制御情報をＤ２Ｄ通信セッションに関与するＤ２Ｄ装置の一部に提供することによって削減される。一例では、Ｄ２Ｄ装置は、Ｄ２Ｄ制御データを基地局から直接受信する代わりに、他の装置から受信する。基地局に接続される制御部は、第１のＤ２Ｄ装置にＤ２Ｄ制御情報を提供し、第１の装置は、Ｄ２Ｄ制御データを第２のＤ２Ｄ装置に送信する。ここで、Ｄ２Ｄ制御データは、Ｄ２Ｄ制御情報に少なくとも部分的に基づいている。幾つかの実施形態では、制御部は、Ｄ２Ｄ通信に使用される通信リソースを概略的に識別するＤ２Ｄ制御情報を割り当て、第１のＤ２Ｄ装置は、Ｄ２Ｄ装置の一方又は両方からの送信のために、システムの識別済みリソースから、Ｄ２Ｄ通信リソースをスケジューリングし（割り当て）、第２のＤ２Ｄ装置にその割り当てを通知する。より厳密にシステム制御される実施形態では、制御部は、第１のＤ２Ｄ装置に対し、各Ｄ２Ｄ装置により使用されるＤ２Ｄ通信リソースをより具体的に識別し、第１のＤ２Ｄ装置は、情報を第２のＤ２Ｄ情報へ伝達する。第２のＤ２Ｄ装置に提供されるＤ２Ｄ制御データは、スケジューリング情報（Ｄ２Ｄ通信のために割り当てられる通信リソースのＩＤなど）を含んでもよく、また、タイミング及び同期情報を含んでもよい。
【００１０】
Ｄ２Ｄリンク情報は、第１のＤ２Ｄ装置によって基地局へ送信され、制御部へ提供される。Ｄ２Ｄリンク情報は、Ｄ２Ｄ通信チャネル及び制御部に適切なリソースをスケジューリングさせる通信についての情報を含む。Ｄ２Ｄリンク情報は、Ｄ２ＤペアにおけるＤ２Ｄ装置の一方又は両方からのデータを含んでもよく、通信チャネル又はＤ２Ｄ通信に関する測定データ、計算データ、又は推定データを含んでもよい。Ｄ２Ｄリンク情報は、Ｄ２Ｄチャネルの特性、Ｄ２Ｄ通信の形式、Ｄ２Ｄデータの容量、及び他の情報を含んでもよい。第１のＤ２Ｄ装置は、第２のＤ２Ｄ装置からＤ２Ｄリンクデータを受信し、単純に基地局へ転送してもよいが、第１のＤ２Ｄ装置は、第１の装置Ｄ２Ｄリンクデータ及び第２の装置Ｄ２Ｄリンクデータを処理し、基地局へ送信されるＤ２Ｄリンク情報を生成することができる。
【００１１】
したがって、場合によっては、制御部は、基地局と第２の装置との間の無線リンクによって第２のＤ２Ｄ装置と直接に通信する必要なく、Ｄ２Ｄ通信リンクを管理する。他の状況では、第１のＤ２Ｄ装置は、基地局から送信されるＤ２Ｄ制御情報として制御部によって提供される制限に従い、Ｄ２Ｄ通信を管理する。したがって、場合によっては、第１のＤ２Ｄ装置のみが、基地局との直接の無線通信を維持する。他の状況では、第２のＤ２Ｄ装置は、Ｄ２Ｄ通信以外の目的で基地局との無線通信を維持してもよい。
【００１２】
図１Ａは、Ｄ２Ｄリンク管理のために第１の無線通信装置１０がＤ２Ｄ制御信号１４，１６を第２の無線通信装置２０へ送信する装置間（Ｄ２Ｄ）通信をサポートするマクロセル通信システム１の例のブロック図である。制御部２５は、基地局４０と第１の無線通信装置１０との間の無線リンクによってＤ２Ｄ制御情報３５を送信することにより、基地局４０と第２の無線通信装置２０との間のＤ２Ｄ制御情報の送受信を行うことなく、Ｄ２Ｄ通信リンク３０に対する少なくとも幾つかの集中管理及び制御を行う。第１の無線通信装置１０は、第２の無線通信装置２０から受信されるＤ２Ｄ信号５０によって、第２の装置Ｄ２Ｄリンクデータ４５を受信する。場合によっては、第２の装置Ｄ２Ｄリンクデータ４５は、制御部２５がＤ２Ｄ通信リソースをスケジューリングするために第２の装置Ｄ２Ｄリンクデータ４５を評価できるように、第１の無線通信装置１０による上りリンクマクロセル信号５５によって基地局へ直接転送することができる。他の状況では、第１の無線通信装置１０は、第２の装置Ｄ２Ｄリンクデータ４５、及び第１の装置Ｄ２Ｄリンクデータ６０を評価し、上りリンクマクロセル信号７０によって基地局４０及び制御部２５へ送信されるＤ２Ｄリンク情報６５を生成する。第１の無線通信装置１０は、下リンクマクロセル信号５５によって基地局４０からＤ２Ｄ制御情報３５を受信する。厳密にネットワーク制御される実施形態では、Ｄ２Ｄ制御情報３５の第２の装置Ｄ２Ｄ制御データ７５は、第２の装置２０へ転送し得る。厳密には制御されない実施形態では、第１の無線通信装置１０は、Ｄ２Ｄ制御情報３５を用いてＤ２Ｄ通信リンク３０を管理する。例えば、Ｄ２Ｄ制御情報３５が、Ｄ２Ｄ通信リンク３０を使用するための時間・周波数リソースを識別するＤ２Ｄリソース割り当て情報を含む場合、第１の無線通信装置１０は、第１の無線通信装置１０から信号を送信するためにどの時間・周波数リソースを使用するか、及び第２の無線通信装置２０からＤ２Ｄ信号を送信するためにどのリソースを使用するか、を判定することができる。また、第１の無線通信装置１０は、多入力多出力（ＭＩＭＯ）パラメータ、変調次数パラメータ、符号化率パラメータ、及び電力制御パラメータなどの物理フォーマットパラメータを決定することができる。したがって、第１の無線通信装置１０は、第１の無線通信装置１０が基地局４０から受信するＤ２Ｄ制御情報３５に少なくとも部分的に基づく第２の装置Ｄ２Ｄ制御データ７５を、第２の無線通信装置２８へ送信する。
【００１３】
Ｄ２Ｄ通信管理のために維持される必要があるのは第１の無線通信装置と基地局との間のリンクのみであるため、無線リソースの使用が削減される。したがって、第１の無線通信装置は、Ｄ２Ｄ通信に関与する一方、マクロセル通信を維持する。場合によっては、第２の無線通信装置は基地局と通信してもよい。しかし、本明細書の例では、第２の無線通信装置と基地局との間の無線リンクを介しては、Ｄ２Ｄ制御情報は送信も受信もされない。
【００１４】
第２の無線通信装置２０へ送られるＤ２Ｄ制御データ７５に加えて、マクロセル信号７０によって第１の無線通信装置１０と送受信されるＤ２Ｄ制御情報６５は、通常、第１の無線通信装置１０へ送られる第１の装置Ｄ２Ｄ制御データ８０及び第１の装置と基地局との間のマクロセルリンクを管理するためのマクロセル制御信号を含む。両装置のためのＤ２Ｄ制御情報は単一の信号で送信可能であるが、多重伝送も使用可能である。また、場合によっては、第１の無線通信装置のためのマクロセル通信のためのマクロセル制御情報は、Ｄ２Ｄ制御情報とともに送信されてもよい。したがって、Ｄ２Ｄ制御情報６５は、各装置又は１つの装置のみのための特定の制御情報を含んでもよく、又は第１の装置１０が使用するための第１の装置制御データ６０及び第２の装置２０のための第２の装置制御データを生成するために第１の装置によって処理される情報を含んでもよい。
【００１５】
例として、第２の装置Ｄ２Ｄリンクデータ４５は、バッファ状態報告（ＢＳＲ）を含む。場合によっては、第２の装置Ｄ２Ｄリンクデータ４５はまた、第２の無線通信装置２０により測定されるＤ２Ｄチャネル条件を含んでもよい。しかし、本明細書の例では、Ｄ２Ｄチャネル条件が決定され、第１の無線通信装置１０によりＤ２Ｄリンク情報３５によって制御部２５に報告される。Ｄ２Ｄチャネルの対称性を活用するために１つのＤ２Ｄ装置からチャネル条件を報告する技術は、本願と同時出願され、その全体が参照により明示的に組み込まれる、「チャネル対称性を使用した装置間通信リソースの管理（ＭＡＮＡＧＥＭＥＮＴ  ＯＦ  ＤＥＶＩＣＥ−ＴＯ−ＤＥＶＩＣＥ  ＣＯＭＭＵＮＩＣＡＴＩＯＮ  ＲＥＳＯＵＲＣＥＳ  ＵＳＩＮＧ  ＣＨＡＮＮＥＬ  ＳＹＭＭＥＴＲＹ）」という名称で出願されたＰＣＴ特許出願で検討されている。第１の無線通信装置がＤ２Ｄチャネルの特性を測定する場合、第２の無線通信装置は周期的に参照信号８０を送信する。
【００１６】
Ｄ２Ｄ制御情報６５は、１つ以上のＤ２Ｄリソース割り当て情報、ページングメッセージ、及び同期情報を含む。Ｄ２Ｄリソース割り当て情報は、Ｄ２Ｄ通信のために割り当てられる通信リソースのＩＤを含み、その情報は少なくともＤ２Ｄ送信に使用すべき時間・周波数リソースを識別する。基地局４０と通信可能に接続されるスケジューラ８５は、第１の無線通信装置から第２の無線通信装置へ、かつ／又は第２の無線通信装置から第１の無線通信装置へ、Ｄ２Ｄ信号を送信するための通信リソースをスケジューリングする（割り当てる）。スケジューラ８５は、報告されるチャネル情報、及び可能であればＢＳＲなどの他の情報を使用し、Ｄ２Ｄ通信のための適切なリソースをスケジューリングする。
【００１７】
一例では、Ｄ２Ｄリソース割り当て情報は、Ｄ２Ｄ通信のためのすべての伝送パラメータを識別し、したがって、時間・周波数パラメータに加え、多入力多出力（ＭＩＭＯ）パラメータ、符号化率パラメータ、電力制御パラメータ、及び変調次数パラメータなどの物理フォーマットパラメータを含む。しかし、別の例では、スケジューラ８５は、時間・周波数パラメータのみを識別し、無線通信装置の一方又は両方にＭＩＭＯ、符号化率、電力制御、及び変調次数パラメータを決定させる。このような例で制御部へ送信されるチャネル情報は、スケジューラが時間・周波数リソースを割り当てるのに必要なチャネル情報のみを含む。第１の無線通信装置は、他の測定されるチャネル特性、推定される情報、及び／又は適切なＭＩＭＯ、符号化率、電力制御、及び変調次数パラメータを決定するための他のチャネル情報を用いる。これらのパラメータは、第２の装置Ｄ２Ｄ制御データ７５の一部として第２の無線通信装置へ提供される。スケジューラ８５が時間・周波数パラメータのみを割り当てる実施形態の一例において、第１の無線通信装置は、第１の無線通信装置からのＤ２Ｄ送信に使用すべきＭＩＭＯ、符号化率、電力制御、及び変調次数パラメータ、及び第２の無線通信装置からのＤ２Ｄ送信に使用すべきＭＩＭＯ、符号化率、電力制御、及び変調次数パラメータ、を決定する。
【００１８】
第２の装置Ｄ２Ｄ制御データ４５はまた、タイミング及び同期情報を含んでもよい。第２の無線通信装置２０は、第２の無線通信装置２０が基地局４０との通信を維持していない状況では、第１の無線通信装置１０によって送信される参照信号１６から同期及びシステムタイミング情報を取得してもよい。したがって、参照信号１６から決定し得るタイミング及び同期情報は、第２の装置Ｄ２Ｄ制御データ４５でもある。これにより、Ｄ２Ｄ通信のために割り当てられるマクロセル通信リソースを使用する場合、第２の無線通信装置２０はシステム１に同期する。
【００１９】
無線通信装置から送信された参照信号は、装置検出／発見、信号取得（受信）、チャネル推定、及びチャネル特性の決定に使用することができる。他の形式の参照信号が使用可能であるが、参照信号を送信するための好適な技術の一例は、Ｄ２Ｄサウンディング参照信号（ＳＲＳ）を周期的に送信することである。
【００２０】
一実施形態では、第２の無線通信装置２０は、制御部によって割り当てられる通信リソースによるＤ２Ｄサウンディング参照信号（ＳＲＳ）などのＤ２Ｄ参照信号８０を周期的に送信する。第１の無線通信装置は、第２の無線通信装置２０から送信される参照信号８０を受信し、少なくとも１つの信号の特性を測定して、チャネル条件を決定し、基地局４０へ報告する。測定可能な信号の特性の例として、最小二乗（ＬＳ）推定、干渉及び雑音電力測定、信号電力測定、及びＳＩＮＲ計算が挙げられる。チャネル情報は、直接に測定されるパラメータを含んでもよく、又は特定の実施形態に応じて測定されるパラメータに基づく情報を含んでもよい。本明細書で検討される例では、チャネル情報は、第２の無線通信装置２０と第１の無線通信装置１０との間のチャネルのチャネル状態情報（ＣＳＩ）を含む。ＣＳＩは、モバイル装置と基地局との間のチャネルのＣＳＩを決定するための従来の技術と同様の技術を用いて決定される。基地局と通信可能に接続されるスケジューラ８５は、第１の無線通信装置から第２の無線通信装置へＤ２Ｄ信号を送信するための通信リソースをスケジューリングする（割り当てる）。スケジューラ８５は、報告されるチャネル情報を使用して適切なリソースをスケジューリングする。したがって、第２の無線通信装置から第１の無線通信装置へ送信される参照信号から測定される信号の特性は、第１の無線通信装置から第２の無線通信装置へのＤ２Ｄ送信をスケジューリングするために使用される。
【００２１】
上記のように、第１の無線通信装置１０は、厳密にはシステム制御されていない構成で、幾つかのＤ２Ｄ通信リソースをスケジューリングする。したがって、Ｄ２Ｄリンク情報３５及びＤ２Ｄ制御情報６５の内容は、システムによって表される制御レベルに依存する。第１の無線通信装置がリソースをスケジューリングしている場合、基地局と第１の無線通信装置とで情報を送受信するために必要とされる情報は少ない。その結果、これらの状況では、システムスケジューラの幾つかの決定及び機能が、第１の無線通信装置のスケジューラ工程により、制御部により提供されるガイドパラメータに従い実行される。第１の無線通信装置１０は、第２の無線通信装置２０から見て、Ｄ２Ｄ管理の目的上では、基地局と同様である。
【００２２】
本明細書の例では、通信システムは、基地局（ｅＮｏｄｅＢ、ｅＮＢ）と無線通信ユーザ機器装置（ＵＥ）との間の通信のためにマクロセル通信リソースを利用する。マクロセル通信リソースは、基地局から無線通信ユーザ機器（ＵＥ）装置への下りリンク通信のための下りリンク通信リソースと、ＵＥ装置から基地局への上りリンク伝送のための上りリンク通信リソースと、を含む。上りリンク通信リソースは、下りリンク通信リソースとは異なる。マクロセル通信リソースの一部は、適宜、２つのＵＥ装置間の装置間（Ｄ２Ｄ）通信に割り当てられる。Ｄ２Ｄ通信のために割り当てられる下りリンク通信リソースは、下りリンク通信には使用されない。例えば、通信リソースが時間・周波数通信リソースの場合、Ｄ２Ｄ通信リンクに割り当てられる時間区間と周波数帯（例えば、サブキャリア）は、基地局により使用されない。上りリンク通信リソースがＤ２Ｄ通信のために割り当てられる場合、リソースは、他のＤ２Ｄ通信、並びに近接セル内及び同一セル内の上りリンク通信に対して、干渉が最小化するように割り当てられる。Ｄ２Ｄ通信のためのマクロセルリソースを管理するための好適な技術の例は、国際出願ＵＳ２０１２／０６４７１１号明細書、代理人整理番号ＴＵＴＬ  ００２１１  ＰＣ、発明の名称「マクロセル通信リソースを使用した装置間通信管理（ＤＥＶＩＣＥ  ＴＯ  ＤＥＶＩＣＥ  ＣＯＭＭＵＮＩＣＡＴＩＯＮ  ＭＡＮＡＧＥＭＥＮＴ  ＵＳＩＮＧ  ＭＡＣＲＯＣＥＬＬ  ＣＯＭＭＵＮＩＣＡＴＩＯＮ  ＲＥＳＯＵＲＣＥＳ）」、（出願日：２０１２年１１月１２日）において検討され、参照によりその全体が本明細書に組み込まれる。
【００２３】
図１Ｂ及び図１Ｃは、無線通信装置との通信のためマクロセル通信リソースが使用され、無線通信装置間の装置間（Ｄ２Ｄ）通信リンク３０が確立される、通信システム１の例のブロック図である。マクロセル通信リソースとＤ２Ｄ通信リンクとの間の関係を図１Ｂに示す。図１ＣにＤ２Ｄ通信リンクを確立するためのリソースを示す。基地局４０は、しばしば「セル」と称される地理的サービスエリア内の無線通信ユーザ機器（ＵＥ）装置１０、２０に対して無線通信サービスを提供する。本明細書の例では、第２の装置は基地局と直接には通信していない。このような状況は、第２の無線通信装置が、装置の設計又は信号障害によりマクロセル通信能力を持たない場合に生じ得る。この状況は、第２の無線通信装置が、特定の時間には基地局と通信する必要がないが、必要に応じて通信を再開可能な場合にも生じ得る。複数の基地局は、通常は、バックホール１１４を介して相互接続され、広域をカバーするために複数のサービスエリアを提供する。通信システム１を参照して説明されるブロックの様々な機能及び動作は、任意の数の装置、回路、又は要素で実施されてもよい。２つ以上の機能ブロックが１つの装置に統合され、１つの任意の装置において実行されるように記載される機能は、複数の装置に亘って実施されてもよい。例えば、制御部２５の機能の少なくとも一部は、基地局４０により実行されてもよく、またその逆でもよい。セルラ通信システムは、通常は、通信規格又は仕様に従う必要がある。第３世代パートナシッププロジェクト・ロング・ターム・エボリューション（３ＧＰＰ  ＬＴＥ）通信仕様は、下りリンクに対する直交周波数分割多重方式（ＯＦＤＭ）及び上りリンクに対するシングルキャリア周波数分割多元接続方式（ＳＣ−ＦＤＭＡ）を使って、基地局（ｅＮｏｄｅＢ）がサービスを無線通信装置（ユーザ機器（ＵＥ）装置）に提供するシステムのための仕様書である。本明細書に記載される技術は、他の形式の通信システムに適用可能ではあるが、本明細書で検討される例示的なシステムは、３ＧＰＰ  ＬＴＥ通信仕様に従い動作する。
【００２４】
基地局４０は、しばしばｅＮｏｄｅＢ又はｅＮＢと称される固定型の送受信局であり、場合によっては、制御部を含んでもよい。基地局４０は、有線通信、光通信、及び／又は無線通信チャネルの任意の組み合わせを含んでもよいバックホール１１４を介して、制御部２５に接続される。本明細書の例では、制御部２５は、３ＧＰＰ  ＬＴＥ通信システムの、モビリィティ管理エンティティ（ＭＭＥ）及びパケットゲートウエイ（Ｐ−ＧＷ）の機能性を含む。したがって、制御部２５は、スケジューラ８５を含む。本例では、スケジューラ８５は、無線通信装置１０、２０間のＤ２Ｄ通信のための、かつ基地局４０と無線通信装置１０との間のマクロセル通信のための、時間・周波数リソースを割り当てる。
【００２５】
無線（ＵＥ）通信装置１０、２０は、モバイル装置、無線装置、無線通信装置、モバイル無線装置、ＵＥ、ＵＥ装置、及びそれ以外の名称で称される場合がある。無線通信ＵＥ装置１０、２０は、Ｄ２Ｄ構成において、基地局及び他の無線通信装置と通信するための電子部品及びコードを含む。無線通信装置は、携帯電話、パーソナルデジタルアシスタント（ＰＤＡ）、無線モデムカード、無線モデム、無線通信用電子部品を有するテレビ、ラップトップ又はデスクトップ型のコンピュータ、及び他の装置などの装置を含む。したがって、無線通信用電子部品を電子装置と組み合わせることにより、無線通信装置１０が形成されてもよい。例えば、無線通信装置は、機器、コンピュータ、又はテレビに接続される無線モデムを含んでもよい。
【００２６】
基地局４０は、無線通信装置１０と無線信号５５、７０を送受信する無線送受信部を含む。基地局４０及び無線通信装置１０からの送信は、送信のシグナリング、プロトコル、及びパラメータを定義する通信仕様により定められる。通信仕様は、通信のための厳格な規定を提供してもよく、具体的な実施は異なるが通信仕様には従う一般的な要件を提供してもよい。以下の検討は、３ＧＰＰロング・ターム・エボリューション（ＬＴＥ）の通信仕様に関するが、場合によっては、他の通信仕様が使用されてもよい。通信仕様では、少なくとも、上りリンク及び下りリンク伝送のためのデータチャネル及び制御チャネルが定義され、少なくとも、基地局から無線通信装置への物理的下りリンク制御チャネルのための幾つかのタイミング及び周波数パラメータが特定される。
【００２７】
マクロセル通信リソース１２１は、下りリンク信号７０及び上りリンク信号６５の送信に使用される。基地局４０は、通信仕様により定義され、下りリンク通信のために確保される定義済み下りリンク通信リソースのうち、スケジューリング済み下りリンク通信リソースを使用して、下りリンク信号７０を無線通信装置１０に送信する。無線通信装置１０は、通信仕様により定義され、上りリンク通信のために確保される定義済み上りリンク通信リソースのうち、スケジューリング済み上りリンク通信リソースを使用して、上りリンク信号５５を基地局４０に送信する。マクロセル通信リソース１２１は、各時間に分割される周波数帯を含み、各周波数帯及び時間区間は、スケジューラ８５により識別され、かつ基地局４０から無線通信装置１０に送信される制御信号に記述される。したがって、通信仕様又は他のシステムの規定は、下りリンクのための適用可能な通信リソース及び上りリンクのための適用可能な通信リソースを定義する。スケジューラ８５は、異なる時間・周波数リソースを異なる装置に割り当て、干渉を最小化する一方、リソースを効率的に利用する。したがって、１つの無線通信装置１０と送受信する信号５５、７０のために使用されるスケジューリング済みマクロセル通信リソースは、他の通信装置と送受信する他の信号のために使用されるスケジューリング済みマクロセル通信リソースとは異なる。したがって、本明細書で参照されるように、マクロセル通信リソース１２１は、仕様及び／又は通信システム規定によって通信のために確保される通信リソースである。しかし、特定の信号を伝送するためのスケジューリング済みリソースは、確保されたマクロセル通信リソース１２１の一部である。
【００２８】
定義済みマクロセル通信リソースの一部は、Ｄ２Ｄ通信のために割り当てられる（スケジューリングされる）。Ｄ２Ｄ通信リソース１２２と称される、定義済みマクロセル通信リソース１２１の本部分（１２２）は、通常は、適宜、動的に、かつチャネル条件及び他の基準に基づいて、スケジューリングされる。したがって、スケジューラ８５は、定義済みマクロセル下りリンク通信リソース、定義済みマクロセル上りリンク通信リソース、又はその両方、のいずれかをＤ２Ｄ通信のために割り当ててもよい。
【００２９】
特定の状況では、無線通信装置が、基地局を介さずにＤ２Ｄ通信リンクによって直接通信することが望ましい。Ｄ２Ｄ通信中、第１の無線通信装置１０は、第１のＤ２Ｄ信号１２４（信号１４，１６など）を第２の無線通信装置２０に送信し、第２の無線通信装置２０は、第２のＤ２Ｄ信号１２６（信号５０、８０など）を第１の無線通信装置１０に送信する。場合によっては、Ｄ２Ｄ送信は、１方向のみでもよい。例えば、ラップトップからディスプレイへのＤ２Ｄリンクを確立してもよく、この場合、ラップトップのみがブロードキャスト、ストリーミング、及び他の目的のためにディスプレイへ信号を送信する。
【００３０】
効率的なＤ２Ｄ通信のためには、無線通信装置は、通常は、互いに近接しなければならない。多くの無線通信装置が移動型であるので、任意の２つの装置間の距離は変化する。その結果、ネットワーク又は無線通信装置の１つのいずれかは、無線通信装置がＤ２Ｄ通信Ｄ２Ｄ通信のために十分近接していることを判定しなければならない。本明細書の例では、無線通信装置は、他の無線通信装置から送信される参照信号を受信することにより、近傍の他の無線通信装置を検出する。検出後、無線通信装置は、Ｄ２Ｄ通信リンク３０の開始を試みることができる。
【００３１】
スケジューラ８５は、基地局４０と無線通信装置１０との間の通信のための時間・周波数リソースを割り当てる。さらに、制御部２５、スケジューラ８５、及び／又は基地局４０は、上りリンクに関するサウンディング参照信号（ＳＲＳ）をスケジューリングする。本明細書で検討される例では、スケジューラ８５は、また、Ｄ２Ｄ  ＳＲＳなどの、無線通信ＵＥ装置１０、２０からのＤ２Ｄ参照信号の伝送のための時間・周波数リソースを割り当て（スケジューリングし）、装置間（Ｄ２Ｄ）通信リンク３０を確立及び／又は維持する。Ｄ２Ｄ  ＳＲＳ送信は、装置検出／発見、信号取得（受信）、チャネル推定、及びＣＳＩ決定のために使用される。かかる技術の例が、２０１２年１１月１２日に出願された、国際出願ＵＳ２０１２／６４７１２号明細書、整理番号ＴＵＴＬ  ００２１２  ＰＣに説明されており、参照によりその全体が本明細書に組み込まれる。したがって、本明細書の例では、無線通信装置は、Ｄ２Ｄ  ＳＲＳ信号を送受信することにより、近傍の他の無線通信装置を検出／発見する。
【００３２】
上記のように、１つの無線通信装置が他の無線通信装置を認識し、他の無線通信装置と通信を試みる場合、ネットワークを介さず、Ｄ２Ｄ通信リンクによって通信する方がより効率的である。干渉を防ぐために、Ｄ２Ｄ通信リンク３０のために使用される通信リソースは、割り当てられスケジューリングされなければならない。無線通信装置は、通信リソースを自律的に追跡及び割り当てることが可能だが、ネットワーク内のさらに集中型の制御部なら、より簡単にスケジューリングを管理することが可能であり、無線通信装置での処理を削減できる。しかし、以上説明したように、制御部２５が全般的な制御情報を提供する場合は、幾つかのＤ２Ｄ管理は、なお無線通信装置１０で実施されてもよい。
【００３３】
図１Ｃを参照して、通信システム１は、基地局から無線通信ユーザ機器（ＵＥ）装置への下りリンク通信のために下りリンク通信リソース１２８を利用し、ＵＥ装置から基地局への上りリンク伝送のために上りリンク通信リソース１３０を利用する。上りリンク通信リソースは、下りリンク通信リソースとは異なる。個々の実施形態に応じて、下りリンク通信リソース１２８の一部、上りリンク通信リソース１３０の一部、又はその両方の一部は、適宜、無線通信（ＵＥ）装置から装置間（Ｄ２Ｄ）送信のために割り当てられる。したがって、Ｄ２Ｄ信号１２４、１２６は、スケジューラ８５によって割り当てられる下りリンク通信リソース１２８又は上りリンク通信リソース１３０を使用してもよい。Ｄ２Ｄ通信のために割り当てられる通信リソース１２２は、下りリンク通信のためには使用されない。例えば、通信リソースが時間・周波数通信リソースの場合、基地局は、Ｄ２Ｄ送信のために割り当てられた時間区分及び周波数帯を非Ｄ２ＤＵＥ装置に供給するために使用せず、上りリンク通信リソースがＤ２Ｄ通信のために割り当てられる場合、他の装置へのリソースのスケジューリングは、干渉を最小化するために管理される。
【００３４】
無線通信（ＵＥ）装置は、Ｄ２Ｄ信号１２４、１２６を割り当てられた通信リソース１２２を使用して送信する。本明細書で検討されるように、定義済み下りリンク通信リソースは、基地局から無線通信装置への下りリンク通信のために確保される通信リソースとして、通信仕様によって定義される通信リソースである。スケジューリング済み下り通信リソースは、基地局と無線通信装置との間の下りリンク通信のために割り当てられた（スケジューリングされた）定義済み下りリンク通信リソースの一部であり、Ｄ２Ｄ通信リソース１２２は、下りリンク通信リソースがＤ２Ｄ通信のために使用される場合、無線通信装置からＤ２Ｄ送信のために割り当てられた（スケジューリングされた）定義済み下り通信リソースの一部である。
【００３５】
また、本明細書で検討されるように、定義済み上りリンク通信リソースは、無線通信装置から基地局への上りリンク通信のために確保される通信リソースとして、通信仕様によって定義される通信リソースである。スケジューリング済み上りリンク通信リソースは、無線通信装置と基地局との間の上りリンク通信のために割り当てられた（スケジューリングされた）定義済み上りリンク通信リソースの一部であり、Ｄ２Ｄ通信リソース１２２は、上りリンクリソースがＤ２Ｄ通信のために使用される場合、無線通信装置からＤ２Ｄ送信のために割り当てられた（スケジューリングされた）定義済み上りリンク通信リソースの一部である。したがって、定義済みマクロセル通信リソース１２１は、定義済みマクロセル下りリンク通信リソース１２８及び定義済みマクロセル上りリンク通信リソース１３０を含み、定義済みリソースの一方又は両方の一部はＤ２Ｄ通信のために割り当てられる。
【００３６】
本明細書の例では、通信ネットワークは、Ｄ２Ｄ装置の１つのみを備えるマクロセル通信リソースによって情報を送受信することにより、Ｄ２Ｄ通信リンクを管理する。無線通信装置１０は、マクロセル上りリンク通信リソースを使用して、Ｄ２Ｄリンク情報３５を基地局に対して送信し、基地局は、マクロセル下りリンク通信リソースを使用して、Ｄ２Ｄリンク確立メッセージ１３４を無線通信装置に送信する。したがって、Ｄ２Ｄリンク確立メッセージ１３４は、Ｄ２Ｄ制御情報６５の一例である。Ｄ２Ｄ呼を確立するための技術の例は、２０１３年５月１０日に出願されたＰＣＴ特許出願第ＰＣＴ／ＵＳ２０１３／０４０５８４号、整理番号ＴＵＴＬ  ００２１８、発明の名称「マクロセル通信リソースを使用した装置間通信リソースの管理（ＤＥＶＩＣＥ−ＴＯ−ＤＥＶＩＣＥ  ＣＯＭＭＵＮＩＣＡＴＩＯＮ  ＲＥＳＯＵＲＣＥＳ  ＵＳＩＮＧ  ＭＡＣＲＯＣＥＬＬ  ＣＯＭＭＵＮＩＣＡＴＩＯＮ  ＲＥＳＯＵＲＣＥＳ）」、において検討され、参照によりその全体が本明細書に組み込まれる。参照されるＰＣＴ出願第ＰＣＴ／ＵＳ２０１３／０４０５８４号で検討されるように、Ｄ２Ｄ呼／セッションは、無線通信装置がマクロセル上りリンク通信リソースを使用してＤ２Ｄ呼開始メッセージを送信することによって開始される。Ｄ２Ｄ呼開始メッセージは、Ｄ２Ｄ通信リンクの確立が、ボイス・オーバ・インターネット・プロトコル（ＶｏＩＰ）呼のためか、又はデータの転送のためか、を示すＤ２Ｄ呼形式の指示子をさらに含むことができる。Ｄ２Ｄ呼形式の指示子がデータの転送を示す場合、Ｄ２Ｄ呼開始メッセージは、Ｄ２Ｄ通信リンクによって送信されるデータ量を示すＤ２Ｄバッファ状態報告（ＢＳＲ）をさらに含む。
【００３７】
第１の無線通信装置は、基地局に応答して、Ｄ２Ｄリンク情報３５を基地局に送信する。Ｄ２Ｄリンク情報３５は、第１の無線通信装置と第２の無線通信装置との間の通信リンクに関する基地局情報を提供する任意のパラメータ又は指示子を含んでもよい。Ｄ２Ｄリンク情報３５は少なくともチャネル情報を含み、チャネル品質、Ｄ２Ｄリンクによって送信されるデータ量、送信電力、及び他の情報を記述するパラメータを含んでもよい。本明細書の例では、Ｄ２Ｄリンク情報３５は、Ｄ２Ｄ通信リンクによって送信されるデータの量を示すＤ２Ｄバッファ状態報告（ＢＳＲ）、Ｄ２Ｄ通信リンクによるＤ２Ｄ送信のための利用可能送信電力を示すＤ２Ｄパワーヘッドルーム報告（ＰＨＲ）、及びＤ２Ｄ通信リンクのチャネルの少なくとも１つの特性を含むＤ２Ｄチャネル状態情報（ＣＳＩ）を含んでもよい。したがって、本例では、Ｄ２Ｄリンク情報３５は上りリンクＤ２Ｄ制御情報１０６の例である。Ｄ２Ｄリンク情報３５は、第２の無線通信装置２０から得られる第２の装置Ｄ２Ｄリンクデータ５０及び／又は第１の無線通信装置によって生成される情報を含んでもよい。例えば、チャネルのＣＳＩは、第１の無線通信装置１０によって判定されてもよく、ＢＳＲは、第２の無線通信装置がＤ２Ｄ信号５０で送信される第２の装置Ｄ２Ｄ制御データで提供されてもよい。
【００３８】
基地局は、Ｄ２Ｄリンク確立情報１３４を第１の無線通信装置１０へ送信し、その情報の一部は第２の無線通信装置へ送られてもよい。Ｄ２Ｄリンク確立情報は、無線通信装置にＤ２Ｄ通信リンクによって通信させる情報を含み、Ｄ２Ｄ通信リンクのために使用される時間・周波数通信リソースのためのスケジューリング情報を含む。Ｄ２Ｄリンク確立情報は、単一の一方向Ｄ２Ｄ送信のための特定情報を含んでもよく、又は各送信に対してネットワークによる特定の指示なしに無線通信装置に複数のＤ２Ｄ送信をスケジューリングさせる承認済みＤ２ＤリソースのＩＤなどのより一般的なチャネル情報を含んでもよい。Ｄ２Ｄリンク確立情報は、マクロセル下りリンク通信リソースを使用して、無線通信装置へ送信される。参照されるＰＣＴ出願第ＰＣＴ／ＵＳ２０１３／０４０５８４号、整理番号ＴＵＴＬ  ００２１８で検討されるように、Ｄ２Ｄリンク確立情報１３４を送信する好適な技術の例として、物理下りリンク制御チャネル（ＰＤＣＣＨ）による情報の送信が挙げられる。そのようなＰＤＣＣＨは、識別された通信リソースが従来のマクロセル通信に代わってＤ２Ｄ通信のために割り当てられる点以外、マクロセル通信のための通信リソースを割り当てる従来のＰＤＣＣＨ送信と同様である。
【００３９】
したがって、例えば、制御部２５内のスケジューラ８５は、Ｄ２Ｄリンク確立情報１３４（Ｄ２Ｄ制御情報７０）を第１の無線通信装置１０に提供することにより、Ｄ２Ｄ時間・周波数リソース１２２を無線通信装置１０、２０に割り当てる。情報１３４は任意の数の制御信号及び／又はメッセージを使用して送信可能であるが、情報は、ＰＤＣＣＨを使用して基地局により送信される。第１の無線通信装置１０によってＤ２Ｄリンク確立情報１３４を処理し、第２の装置制御データ７５を生成してもよい。
【００４０】
図２は、第１の無線通信装置１０などの無線通信装置（ＵＥ）で行われる、Ｄ２Ｄ通信を管理する方法の例のフローチャートである。
【００４１】
ステップ２０２では、無線通信装置１０は、他の無線通信装置２０から第２の装置Ｄ２Ｄリンクデータ４５を受信する。第２の装置Ｄ２Ｄリンクデータ４５は、従来システムの基地局との通信に使用される任意の形式の従来の制御信号を含んでもよい。ページングメッセージ、ＣＳＩ、肯定応答（ＡＣＫ）メッセージ、否定応答（ＮＡＣＫ）メッセージはＤ２Ｄリンクデータの例である。第２の装置Ｄ２Ｄリンクデータ４５の一部は基地局への送信のためのデータでもよく、一方、他のデータは第１の無線通信装置による処理のためのものであってもよい。例えば、第２の装置Ｄ２Ｄリンクデータがバッファ状態報告を含む場合、この情報は基地局へ転送されてもよい。バッファ状態報告は、送信されるデータ量を示す。
【００４２】
ステップ２０２は、第２の無線通信装置２０がシステムタイミングを持たない状況では、装置検出の直後には通常は起こり得ない。例えば、第２の無線通信装置には、Ｄ２Ｄリンクによって送信する前に、幾つかの制御データが提供されなければならない。幾つかの実施形態では、第１の無線通信装置が常にＤ２Ｄセッションを開始する。このような状況では、第１の装置は、第２の装置から送信される参照信号を受信することにより第２の装置を検出する。その後、第１の装置は関連する制御情報（第２の装置がその情報を送信可能なタイミング、同期、及びリソース）を提供する。したがって、ステップ２０２は、このような情報が提供された後に生じる。
【００４３】
ステップ２０４では、無線通信装置１０は、第１の装置Ｄ２Ｄリンクデータを判定する。この例では、Ｄ２Ｄリンク３０の第１の無線通信装置チャネル特性を第２の無線通信装置により送信される参照信号８０を測定及び評価することによって判定する。したがって、第１の装置リンクデータ６０は、幾つかの状況において、Ｄ２Ｄ通信リンクの少なくとも１つのチャネル特性を含むＤ２Ｄチャネル状態情報（ＣＳＩ）などのチャネル条件情報を含んでもよい。第１の装置１０によってＤ２Ｄ通信リンクによって送信されるデータ量を示すＤ２Ｄバッファ状態報告（ＢＳＲ）、及びＤ２Ｄ通信リンクによるＤ２Ｄ送信のための利用可能な送信電力を示すＤ２Ｄパワーヘッドルーム報告（ＰＨＲ）などの他の情報が、第１の装置Ｄ２Ｄリンク情報の一部であってもよい。
【００４４】
ステップ２０６では、無線通信装置１０は、Ｄ２Ｄリンク情報を判定する。例では、第１の装置１０は第１の装置Ｄ２Ｄリンクデータ６０及び第２の装置Ｄ２Ｄリンクデータ４５を評価し、Ｄ２Ｄリンク情報５５を生成する。Ｄ２Ｄチャネル情報は、測定されるチャネル特性に基づいて算出される情報又はチャネル特性でもよい。Ｄ２Ｄチャネル情報の例としては、ＣＳＩが挙げられる。例えば、Ｄ２Ｄチャネル情報は、Ｄ２Ｄリンク情報の一部として送信される。ＣＳＩに加えて、Ｄ２Ｄリンク情報は、Ｄ２Ｄ通信リンクによって送信されるデータ量を示すＤ２Ｄバッファ状態報告（ＢＳＲ）、及びＤ２Ｄ通信リンクによるＤ２Ｄ送信のために利用可能な送信電力を示すＤ２Ｄパワーヘッドルーム報告（ＰＨＲ）を含んでもよい。Ｄ２Ｄ音声呼が開始されている幾つかの状況において、ＢＳＲは省略されてもよい。これらの状況でのＤ２Ｄリンク情報は、また、Ｄ２Ｄ呼が音声呼であることを示す指示子を含んでもよい。したがって、Ｄ２Ｄリンク情報のためのチャネル特性は、通常は、無線通信装置が、第２の無線通信装置によって周期的に送信される参照信号を評価することにより維持される。Ｄ２Ｄリンク情報は、マクロセル上りリンク通信リソースを使用して基地局に送信される。例として、Ｄ２Ｄリンク情報は、基地局と第１の無線通信装置１０４との間のマクロセル通信リンクのためのマクロセルＣＳＩ情報とともに送信される。Ｄ２Ｄリンク情報の伝送は、従来のマクロセル通信のＢＳＲ、ＣＳＩ、及びＰＨＲの伝送と同様である。しかし、Ｄ２Ｄリンク情報の伝送は、情報がＤ２Ｄ通信リンクに関連しているという指示も含む。したがって、Ｄ２Ｄリンク情報は、マクロセルリンク情報とともに、ＰＵＳＣＨ又はＰＵＣＣＨ上で送信されてもよい。本明細書の例では、無線通信装置は、Ｄ２Ｄ通信に関与する一方、マクロセル接続を維持し、Ｄ２Ｄリンク情報同様、マクロセルチャネルのチャネル特性を提供する。
【００４５】
ステップ２０８では、無線通信装置１０は、Ｄ２Ｄリンク情報を基地局（ｅＮＢ）４０に送信する。
【００４６】
ステップ２１０では、無線通信装置１０は、基地局（ｅＮＢ）４０からＤ２Ｄ制御情報を受信する。Ｄ２Ｄ制御情報は、Ｄ２Ｄ通信リソースを識別するＤ２Ｄリソース割り当て情報を含む。上記のように、Ｄ２Ｄ通信リソースは、システム１のための通信仕様によって定義される定義済み通信リソースの一部である。本例では、Ｄ２Ｄ制御情報は、物理下りリンク制御チャネル（ＰＤＣＣＨ）によって送信される。したがって、リンク確立情報は、マクロセル下りリンク通信リソースを使用して、無線通信装置１０によって受信される。本例では、Ｄ２Ｄリンク確立情報は、第１の無線通信装置から第２の無線通信装置へ、かつ／又は第２の無線通信装置から第１の無線通信装置へのＤ２Ｄ信号の伝送のために使用すべき定義済みマクロセル通信リソースの一部を識別する。Ｄ２Ｄ制御情報は、Ｄ２Ｄ送信のための「転送フォーマット選択」及び「電力制御」指令を含む場合がある。
【００４７】
図２の例では、Ｄ２Ｄ制御情報は、時間・周波数リソースを識別するが、多入力多出力（ＭｌＭＯ）パラメータ、変調次数パラメータ、符号化率パラメータ、及び電力制御パラメータは特定しない。場合によっては、これらの物理パラメータの一部又は全部がネットワークにより提供される。
【００４８】
ステップ２１２では、Ｄ２Ｄ通信リソースが第１の無線通信装置によってスケジューリングされる。より厳密にシステム制御される実施形態では、スケジューリング及び処理には、リソースの割り当て及びＤ２Ｄ制御情報に含まれる特定の指令に従う第２の無線通信装置への制御信号の送信が含まれる。厳密にはシステム制御されない実施形態では、第１の無線通信装置は、第１の装置Ｄ２Ｄリンクデータ６０、第２の装置Ｄ２Ｄリンクデータ４５、及びＤ２Ｄ制御情報６５を評価し、Ｄ２Ｄ通信のためにリソースを割り当てる。一例では、Ｄ２Ｄ制御情報は、物理パラメータを特定せずに時間・周波数リソースを含む。その結果、第１の無線通信装置は第１の装置Ｄ２Ｄリンクデータ６０及び第２の装置Ｄ２Ｄリンクデータ４５を評価し、ＭＩＭＯパラメータ、変調次数パラメータ、符号化率パラメータ、及び電力制御物理パラメータなどの物理パラメータを決定する。
【００４９】
ステップ２１４では、第２の装置Ｄ２Ｄ制御データ７５が、第２の無線通信装置２０に送信される。データ７５は、ＭＩＭＯパラメータ、変調次数パラメータ、符号化率パラメータ、及び電力制御パラメータなどの物理パラメータ同様、時間・周波数リソースなどのＤ２Ｄ通信リソースを含む。以上説明したように、場合によっては、第２の装置Ｄ２Ｄ制御データ７５は、システムタイミング及び同期情報を含む。システムタイミングに従い送信される参照信号１６は、第２の無線通信装置にタイミング情報を提供する。例えば、第１の無線通信装置１０が周期的に参照信号を送信する。好適な技術の例が、上記参照された特許ＰＣＴ出願第ＰＣＴ／ＵＳ２０１２／６４７１２号で検討されている。したがって、第２の無線通信装置は、第１の無線通信装置からＳＲＳなどの同期のための参照信号を受信する。その結果、第２の無線通信装置２０は、システムに同期するために基地局との通信リンクを維持する必要はない。
【００５０】
明らかに、本発明の他の実施形態及び変更例は、これらの教示を参酌して、当業者に容易に創作されるだろう。上記の説明は、例示的であって限定的ではない。本発明は、上記の明細書及び添付の図面に基づく実施形態及び変更例の全てを含む、以下の請求項によってのみ限定される。したがって、本発明の範囲は、上記の記載を参照して決定されるのではなく、均等物の全範囲と共に、添付される請求項を参照して決定されるべきである。
【図１Ａ】
2016226030.tif 000003
【図１Ｂ】
2016226030.tif 000004
【図１Ｃ】
2016226030.tif 000005
【図２】
2016226030.tif 000006